(57)【特許請求の範囲】
【請求項１】
定着ローラと、定着ローラに直接又はベルトを介して圧接しニップ部を形成する加圧ローラと、前記定着ローラの軸方向中央部を主として加熱する第１加熱手段と、軸方向両端部を主として加熱する第２加熱手段と、第１加熱手段及び第２加熱手段への通電を制御する制御手段とを有し、未定着トナー画像が形成された被転写材を前記ニップ部に通すことによって、前記トナー画像を被転写材に溶融定着させる定着装置において、
前記加圧ローラは、軸方向両端部の外径が軸方向中央部の外径よりも大きく、
前記制御手段は、被転写材が斤量が８０ｇ／ｍ２未満の薄紙である場合、第１加熱手段による供給熱量が第２加熱手段による供給熱量よりも多くなるように通電制御して、
前記加圧ローラの軸方向中央部の温度が軸方向両端部の温度よりも高くなった状態の下で前記薄紙にトナー画像を溶融定着することを特徴とする定着装置。
【請求項２】
被転写材の斤量を検知する検知手段をさらに有し、前記検知手段によって検知された被転写材の斤量によって第１加熱手段及び第２加熱手段への通電を変える請求項１記載の定着装置。
【請求項３】
軸方向中央部及び軸方向端部の温度を検出する２つの温度センサを有し、
前記制御手段は、前記２つの温度センサの検出温度に基づいて、第１加熱手段及び第２加熱手段への通電をそれぞれ独立して制御する請求項１又は２記載の定着装置。
【請求項４】
定着装置として、請求項１〜３のいずれかに記載の定着装置を用いることを特徴とする画像形成装置。
【発明の詳細な説明】
【技術分野】
【０００１】
本発明は定着装置及びそれを備えた画像形成装置に関し、より詳細には、定着ローラと加圧ローラとが直接又はベルトを介して圧接して形成されるニップ部に被転写材を通過させることによって、未定着トナー画像を加熱・加圧して被転写材に溶融定着させる定着装置及びそれを備えた画像形成装置に関するものである。
【背景技術】
【０００２】
電子写真方式の画像形成装置では、感光体表面に形成された静電潜像にトナーを付着させて現像し、現像されたトナー画像を用紙などの被転写材に転写させた後、定着装置によってトナー画像を被転写材に定着させる。これまでから広く使用されている定着装置は、圧接した一対のローラのニップ部に被転写材を通過させて加熱及び加圧を行い、トナー画像を被転写材に溶融定着させるものである。
【０００３】
このような従来の定着装置では、加圧ローラの形状を、軸方向中央部の外径が軸方向両端部の外径よりも小さいいわゆる逆クラウン形状とし、軸方向中央部よりも軸方向両端部の周速度を速くして被転写材を軸方向両端部の方向に広げるようして、被転写材にしわが生じないようにするものがあった。
【０００４】
さらに特許文献１では、加圧ローラの形状が摩耗等により経時的に変化することを考慮して、加圧ローラが逆クラウン形状を維持するように軸方向中央部及び軸方向両端部の加熱動作を変化させる技術が提案されている。
【先行技術文献】
【特許文献】
【０００５】
【特許文献１】特開2010-145835号公報
【発明の概要】
【発明が解決しようとする課題】
【０００６】
ところで、近年、被転写材として多種多様な用紙が使用されるようなってきた。このため、例えば腰の弱い薄紙を、逆クラウン形状の加圧ローラを用いた定着装置に通すと、薄紙に波打ちや後端跳ねなどの通紙不良が生じる。
【０００７】
本発明はこのような従来の問題に鑑みてなされたものであり、その目的は、薄紙を用いた場合であっても、波打ちや後端跳ねなどの通紙不良が生じることなく良好な定着ができる定着装置を提供することにある。
【課題を解決するための手段】
【０００８】
本発明によれば、定着ローラと、定着ローラに直接又はベルトを介して圧接しニップ部を形成する加圧ローラと、前記定着ローラの軸方向中央部を主として加熱する第１加熱手段と、軸方向両端部を主として加熱する第２加熱手段と、第１加熱手段及び第２加熱手段への通電を制御する制御手段とを有し、未定着トナー画像が形成された被転写材を前記ニップ部に通すことによって、前記トナー画像を被転写材に溶融定着させる定着装置において、前記加圧ローラは、軸方向両端部の外径が軸方向中央部の外径よりも大きく、前記制御手段は、被転写材が斤量が８０ｇ／ｍ２未満の薄紙である場合、第１加熱手段による供給熱量が第２加熱手段による供給熱量よりも多くなるように通電制御して、前記加圧ローラの軸方向中央部の温度が軸方向両端部の温度よりも高くなった状態の下で前記薄紙にトナー画像を溶融定着することを特徴とする定着装置が提供される。
【０００９】
ここで、被転写材の斤量を検知する検知手段をさらに設け、前記検知手段によって検知された被転写材の斤量によって第１加熱手段及び第２加熱手段への通電を変えるようにしてもよい。
【００１０】
また、軸方向中央部及び軸方向端部の温度を検出する２つの温度センサを設け、前記制御手段が、前記２つの温度センサの検出温度に基づいて、第１加熱手段及び第２加熱手段への通電をそれぞれ独立して制御するようにしてもよい。
【００１１】
また本発明によれば、定着装置として、前記記載の定着装置を用いることを特徴とする画像形成装置が提供される。
【発明の効果】
【００１２】
本発明に係る定着装置及び画像形成装置では、被転写材として薄紙を用いた場合には、第１加熱手段による供給熱量を第２加熱手段による供給熱量よりも多くなるように通電制御し、加圧ローラの逆クラウン形状を小さくあるいは解消するようにするので、薄紙であっても、波打ちなどの通紙不良が生じることなく良好に定着される。
【図面の簡単な説明】
【００１３】
【図１】本発明に係る画像形成装置の一例を示す概説図である。
【図２】図１の画像形成装置で使用されている定着装置の側断面図である。
【図３】加圧ローラの平面図である。
【図４】加熱ローラの概略構成図である。
【図５】本発明に係る定着装置の他の実施形態を示す概説図である。
【発明を実施するための形態】
【００１４】
以下、本発明に係る定着装置及び画像形成装置について図に基づいて説明するが、本発明はこれらの実施形態に何ら限定されるものではない。
【００１５】
図１は、本発明の画像形成装置及び定着装置の一実施形態を示す概説図である。図１の画像形成装置Ｄは所謂タンデム方式のカラープリンタである。もちろん、プリンタのほか、さらにスキャナを有する複写機、ファクシミリ又はそれらの機能を複合的に備えた複合機等にも本発明を適用することができる。また、画像形成方式としてはタンデム方式に限定されるものではなく、他の方式、例えば、回転軸の周囲に４つの現像装置を配置し、これらを順次静電潜像担持体に対向させてフルカラー画像を作成する所謂４サイクル方式、あるいは一つの現像装置でモノクロ画像を作成するモノクロ方式であっても構わない。
【００１６】
画像形成装置Ｄは、導電性を有する無端状の中間転写ベルト３３を有する。中間転写ベルト３３は、図の左右両側にそれぞれ配置された一対のローラ３１，３２に掛架されている。ローラ３２は不図示のモータに連結されており、モータの駆動によってローラ３２は反時計回りに回転し、これによって中間転写ベルト３３とこれに接するローラ３１は従動回転する。ローラ３２に支持されているベルト部分の外側には、二次転写ローラ３４が圧接している。この二次転写ローラ３４と中間転写ベルト３３とのニップ部（二次転写領域）において中間転写ベルト３３上に形成されたトナー像が、搬送されてきた用紙Ｐに転写される。
【００１７】
また、ローラ３１に支持されているベルト部分の外側には、中間転写ベルト３３の表面をクリーニングするクリーニング部材３５が設けられている。このクリーニング部材３５は中間転写ベルト３３を介してローラ３１に圧接しており、その接触部で未転写トナーを回収する。
【００１８】
ローラ３１とローラ３２とに掛架された中間転写ベルト３３の下側には、中間転写ベルト３３の回転方向上流側から順に、イエロー（Ｙ）、マゼンタ（Ｍ）、シアン（Ｃ）、ブラック（Ｋ）の４つの作像部２Ｙ，２Ｍ，２Ｃ，２Ｋ（以下、「作像部２」と総称することがある）が配置されている。これらの作像部２では、各色の現像剤をそれぞれ用いて対応する色のトナー像が作成される。
【００１９】
作像部２は、静電潜像担持体として円筒状の感光体２０を有する。そして、感光体２０の周囲には、その回転方向（時計回り方向）に沿って順に、帯電器２１、現像装置２３、一次転写ローラ２４、および感光体クリーニング部材２５が配置されている。一次転写ローラ２４は中間転写ベルト３３を挟んで感光体２０に圧接し、ニップ部（一次転写領域）を形成している。また、作像部２の下方には露光装置２２が配置されている。
【００２０】
この図に示す実施形態では、帯電器２１としてローラ帯電方式のものを用いているが、帯電器２１の種類は特に限定されるものでなく、コロナ放電方式の帯電チャージャ、ブレード状の帯電部材、ブラシ状の帯電部材等を用いてももちろん構わない。また、この実施形態では、感光体クリーニング部材２５として板状ブレードを用い、その一端側を感光体２０の外周面に接触させて、感光体２０の表面に残留するトナーを回収除去しているが、感光体クリーニング部材２５は板状ブレードに限られるものでなく、例えば、固定ブラシ、回転ブラシ、ローラ、及びそれら複数の部材を組み合わせたものを使用することもできる。なお、感光体クリーニング部材２５は必ずしも設ける必要はなく、感光体２０上の未転写トナーの回収を現像装置２３によって行うクリーナレス方式を採用することもできる。
【００２１】
中間転写ベルト３３の上方には、各色の現像装置２３に補給するトナーを収容したホッパー４Ｙ，４Ｍ，４Ｃ，４Ｋ（以下、「ホッパー４」と総称することがある）がそれぞれ配置されている。また、露光装置２２の下部には、給紙装置として給紙カセット５０が着脱可能に配置されている。給紙カセット５０内に積載収容された用紙（被転写材）Ｐは、給紙カセット５０の近傍に配置された給紙ローラ５１の回転によって最上紙から順に１枚ずつ搬送路に送り出される。給紙カセット５０から送り出された用紙Ｐは、レジストローラ対５２に搬送され、ここで所定のタイミングで二次転写領域に送り出される。
【００２２】
画像形成装置Ｄは、１色のトナー（例えばブラック）を用いてモノクロ画像を形成するモノクロモードと、４色のトナーを用いてカラー画像を形成するカラーモードとに切り替え可能となっている。
【００２３】
カラーモードにおける画像形成動作例について簡単に説明すると、まず、各作像部２において、所定の周速度で回転駆動される感光体２０の外周面が帯電器２１により帯電される。次に、帯電された感光体２０の表面に、画像情報に応じた光が露光装置２２から投射されて静電潜像が形成される。続いて、この静電潜像は、現像装置２３から供給される現像剤としてのトナーにより顕在化される。このようにして感光体２０の表面に形成された各色のトナー像は、感光体２０の回転によって一次転写領域に達すると、イエロー、マゼンタ、シアン、ブラックの順で、感光体２０から中間転写ベルト３３上へ転写（一次転写）されて重ねられる。
【００２４】
中間転写ベルト３３に転写されることなく感光体２０上に残留した未転写トナーは、感光体クリーニング部材２５で掻き取られ、感光体２０の外周面から除去される。
【００２５】
重ね合わされた４色のトナー像は、中間転写ベルト３３によって二次転写領域に搬送される。一方、そのタイミングに合わせて、レジストローラ対５２から二次転写領域に用紙Ｐが搬送される。そして、４色のトナー像が、二次転写領域において中間転写ベルト３３から用紙Ｐに転写（二次転写）される。４色のトナー像が転写された用紙Ｐは、定着装置１へ搬送される。定着装置１において用紙Ｐは、定着ローラ１１と加圧ローラ１２とのニップ部を通過する。この間に用紙Ｐは加熱・加圧され、用紙Ｐ上のトナー像は用紙Ｐに溶融定着する。なお、定着装置１の具体的な構成については後述する。トナー像が定着した用紙Ｐは排出ローラ対５３によって排紙トレイ５４に排出される。
【００２６】
一方、二次転写領域を通過した中間転写ベルト３３は、クリーニングブレード３５で清掃される。その後、各感光体２０及び中間転写ベルト３３の回転駆動が停止される。
【００２７】
図２に、図１の画像形成装置Ｄに搭載されている定着装置１の概略構成図を示す。この定着装置１では、加熱ローラ１３と定着ローラ１１との間に定着ベルト１４が掛架され、加圧ローラ１２が定着ベルト１４を介して定着ローラ１１に圧接している。そして、定着ベルト１４と加圧ローラ１２とのニップ部Ｎの下流側には、定着ベルト１４に接するように分離爪１６が揺動自在に軸支されている。定着ローラ１１は、不図示の回転駆動手段によって反時計回りに回転し、これによって定着ベルト１４及び加圧ローラ１２、加熱ローラ１３はそれぞれ従動して回転する。なお、回転駆動手段を定着ローラ１１ではなく、加熱ローラ１３又は加圧ローラ１２に設けて駆動回転させ、他のローラを従動回転させるようにしてもよい。
【００２８】
加熱ローラ１３には、加熱ローラ１３の軸方向中央部を主として加熱するハロゲンヒータ（第１加熱手段）１５Ａと、加熱ローラ１３の軸方向両端部を主として加熱するハロゲンヒータ（第２加熱手段）１５Ｂとが内蔵されている。また、加熱ローラ１３の軸方向中央部および一方側端部の外周部には、定着ベルト１４の表面から微小間隙を隔てて温度センサーＳａ及び温度センサーＳｂが設置されている。これらの温度センサーＳａ，Ｓｂによって加熱ローラ１３の表面温度が検知され、制御手段６１（図１に図示）によってハロゲンヒータ１５Ａ，１５Ｂへの通電が入切制御される。これにより、加熱ローラ１３の表面は所定温度に維持される。
【００２９】
定着ローラ１１は円筒状の芯金１１１からなる。芯金１１１の材質に特に限定はないが、アルミニウムや鉄などの金属材料が好ましい。また、芯金の厚さは、０．１〜５ｍｍの範囲が好ましく、軽量化及びウォームアップ時間の短縮化等を考慮すると０．２〜１．５ｍｍの範囲がより好ましい。また、表面の離型性を向上させるために、芯金１１１の表面に、ＰＦＡやＰＴＦＥ、ＥＴＦＥ等のフッ素系材料からなるチューブを被着する、あるいは前記フッ素系材料でコーティング層を形成して表層としてもよい。表層の厚さは５〜１００μｍの範囲が好ましく、水との接触角は９０度以上が好ましい。さらに、表面粗さは０．０１〜５０μｍの範囲が好ましい。また、ニップ部Ｎの幅を大きくするために、芯金１１１と表層との間に、弾性層をさらに設けてもよい。弾性層の材質としては、弾性と耐熱性を有するものが望ましく、例えば、シリコーンゴムやフッ素ゴムなどが挙げられる。弾性層の厚さに特に限定はないが、通常は、０．０５〜２ｍｍの範囲が好ましい。
【００３０】
加圧ローラ１２は、芯金１２１の表面に、シリコーンゴムからなる弾性層１２２が形成され、その表面に表層としてのＰＦＡチューブ（不図示）が被着されてなる。弾性層１２２の材質としては、弾性と耐熱性を有するものが望ましく、例えば、シリコーンゴムやフッ素ゴムなどが挙げられる。弾性層１２２の厚さに特に限定はないが、通常は、０．０５〜２ｍｍの範囲が好ましい。
【００３１】
図３に、加圧ローラ１２の平面図を示す。加圧ローラ１２は、軸方向両端部の外径Ｄ２が軸方向中央部の外径Ｄ１よりも大きい逆クラウン形状を有している。外径Ｄ２と外径Ｄ１との差としては特に限定はないが、初期設定において０．０１ｍｍ〜０．２ｍｍ程度に設定するのが好ましい。
【００３２】
定着ベルト１４は、ニッケルやステンレスなどの金属材料又はポリイミドやポリアミドなどの樹脂材料で成形した無端状の基体の外周面に、シリコンゴム等の弾性層を形成し、その表面に、フッ素樹脂などからなる離型層を形成してなる。
【００３３】
図４に、加熱ローラ１３の概略構成図を示す。ハロゲンヒータ１５Ａ及びハロゲンヒータ１５Ｂは、加熱ローラ１３の内部の軸方向中央部及び両端部に配設されている。ハロゲンヒータ１５Ａによって加熱ローラ１３の軸方向中央部が主に加熱され、ハロゲンヒータ１５Ｂによって加熱ローラ１３の軸方向両端部が主に加熱される。
【００３４】
制御手段６１（図１に図示）は、加熱ローラ１３の軸方向中央部と端部とに配置された温度センサＳａ，Ｓｂの検出温度に基づいてハロゲンヒータ１５Ａ，１５Ｂへの通電をそれぞれ独立して制御し、加熱ローラ１３の軸方向中央部及び両端部の表面温度を所定の設定温度にそれぞれ保持する。本発明で使用する温度センサＳａ，Ｓｂとしては、サーミスタや熱電対、白金測温抵抗体、ＩＣ化温度センサ、サーモバイル、ＮＣセンサなどが使用できる。
【００３５】
そして、図２に示すように、搬送されてきた用紙Ｐは、未定着のトナー画像ｔが載った面が定着ベルト１４側になるように、定着ベルト１４と加圧ローラ１２とのニップ部Ｎを通過する。ニップ部Ｎを通過する間に、トナー画像ｔに対して加熱及び加圧がなされ、トナー画像ｔは溶融して用紙Ｐに定着する。そして、分離爪１６によって定着ベルト１４から用紙Ｐは分離され排紙トレイ５４（図１に図示）へ排出される。
【００３６】
このような構成の定着装置１において、従来は、加熱ローラ１３の軸方向中央部と端部の設定温度を同じにしていた。すなわち、温度センサＳａ，Ｓｂの検出温度が所定温度（定着温度）に到達すると、通紙を開始し定着処理を行っていた。ところが、逆クラウン形状を有する加圧ローラ１２を用いた定着装置１の場合には、前述のように、加圧ローラ１２の軸方向中央部と両端部とで周速度に差が生じるため、被転写材が腰の弱い薄紙などのときには被転写材に波打ちや後端跳ねなどの通紙不良が生じることがあった。
【００３７】
そこで、本発明では、薄紙などの腰の弱い被転写材のときは、加熱ローラ１３の軸方向中央部に供給する熱量を軸方向両端部に供給する熱量よりも多くして、加熱ローラ１３の軸方向中央部の温度を軸方向両端部よりも高くする。これによって、定着ベルト１４を介して加圧ローラ１２に熱が伝わって、加圧ローラ１２の軸方向中央部の温度が軸方向両端部の温度よりも高くなる。すると、加圧ローラ１２の弾性層１２２の軸方向中央部が軸方向両端部よりも大きく膨張し、軸方向両端部と軸方向中央部との外径差（Ｄ２−Ｄ１）が小さくなって、軸方向中央部と軸方向両端部との周速度差が小さくなる。そして、周速度差が小さくなることによって、被転写材を軸方向両端部の方向に広げる力が弱まり、被転写材に波打ちや後端跳ねなどの通紙不良が防止されるようになる。
【００３８】
加熱ローラ１３の軸方向中央部に供給する熱量を軸方向両端部に供給する熱量よりも多くするには、例えば、加熱ローラ１３の軸方向中央部を加熱するハロゲンヒータ１５Ａへの通電開始を、軸方向両端部を加熱するハロゲンヒータ１５Ｂよりも早くする、あるいは、ハロゲンヒータ１５Ａへの通電量をハロゲンヒータ１５Ｂよりも多くすればよい。
【００３９】
なお、被転写材が薄紙などの場合のハロゲンヒータ１５Ａによる加熱は、加圧ローラ１２の軸方向中央部の外径が、軸方向両端部の外径よりも大きくならない程度とするのが望ましい。加圧ローラ１２の軸方向中央部の外径が、軸方向両端部の外径よりも大きくなると、被転写材にしわが生じる等の通紙不良が起こるおそれがあるからである。
【００４０】
以上、被転写材が薄紙の場合について説明したが、これに限定されるものではなく、本発明の定着装置では、例えば被転写材の斤量を指標として被転写材を判別して、加圧ローラ１２の軸方向両端部と軸方向中央部との外径差（Ｄ２−Ｄ１）を被転写材の種類に応じて好適なものとなるようハロゲンヒータ１５Ａ，１５Ｂへの通電制御を行ってももちろん構わない。
【００４１】
定着装置に搬送される被転写材の種類の判別は、例えば、使用者による入力情報や被転写材が収納されていた給紙カセットの種類、あるいは搬送路に設けた検知手段などによって判別すればよい。上記検知手段としては、例えば、被転写材が搬送ローラ対を通過する際の、搬送ローラ対間の隙間量をセンサーで検知する、あるいは搬送路を挟んで発光素子と受光素子とを設け、発光素子と受光素子との間を被転写材が通過する時の光透過量を測定して斤量を算出する、あるいはまた、搬送路途中の搬送ローラ対の一つを停止させて被転写材にループを形成させ、ループの大きさをセンサーで検知して斤量を推定する手段などが挙げられる。
【００４２】
以上説明した実施形態の定着装置は、定着ローラ１１と加圧ローラ１２とが定着ベルト１４を介して圧接した構造であったが、本発明の定着装置は、定着ベルト１４を用いずに定着ローラ１１と加圧ローラ１２とを直接圧接させた構造としてもよい。図５に、このような定着装置の一例を示す。図５に示す定着装置１ａでは、定着ローラ１１と加圧ローラ１２とがバネなどの不図示の押圧部材によって圧接している。そして、定着ローラ１１と加圧ローラ１２との間にニップ部Ｎが形成される。定着ローラ１１は、不図示の回転駆動手段によって図中反時計回りに回転し、これによって加圧ローラ１２は時計回りに従動回転する。定着ローラ１１には、定着ローラ１１の軸方向中央部を主として加熱するハロゲンヒータ１５Ａと、定着ローラ１１の軸方向両端部を主として加熱するハロゲンヒータ１５Ｂとが内蔵されている。また、定着ローラ１１の軸方向中央部および端部の外周部には、定着ローラ１１の表面から微小間隙を隔てて温度センサーＳａ及び温度センサーＳｂが設置されている。これらの温度センサーＳａ，Ｓｂによって定着ローラ１１の表面温度が検知され、制御手段６１（図１に図示）によってハロゲンヒータ１５Ａ，１５Ｂへの通電が入切制御される。
【００４３】
なお、定着ローラ１１及び加圧ローラ１２の構造は、前記実施形態と同様であるのでここではその説明を略する。また、定着ローラ１１を加熱する加熱手段は、定着ローラ１１の外周部に設けてもよい。加熱手段はハロゲンヒータの他、従来公知の手段を用いることができる。
【００４４】
さらには、加圧ローラ１２に加熱手段を設けて加圧ローラ１２を直接加熱するようにしてもよい。加熱手段は加圧ローラ１２の内部又は外周部に設ければよい。加熱手段はハロゲンヒータの他、従来公知の手段を用いることができる。
【産業上の利用可能性】
【００４５】
本発明に係る定着装置及び画像形成装置では、被転写材として薄紙を用いた場合には、第１加熱手段による供給熱量を第２加熱手段による供給熱量よりも多くなるように通電制御し、加圧ローラの逆クラウン形状を小さくあるいは解消するようにして、薄紙の波打ちや後端跳ねなどの通紙不良を防止するので有用である。
【符号の説明】
【００４６】
１，１ａ  定着装置
Ｐ  用紙（被転写材）
Ｎ  ニップ部
ｔ  トナー画像
１１  定着ローラ
１２  加圧ローラ
１３  加熱ローラ
１４  定着ベルト
１５Ａ  ハロゲンヒータ（第１加熱手段）
１５Ｂ  ハロゲンヒータ（第２加熱手段）
６１  制御手段
【図１】
0005945897.tif 000002
【図２】
0005945897.tif 000003
【図３】
0005945897.tif 000004
【図４】
0005945897.tif 000005
【図５】
0005945897.tif 000006